(57)【特許請求の範囲】
【請求項１】
二次冷却水が供給排出される二次側の胴部内にＵ字状の伝熱管が配置されており、前記胴部の下部を閉塞する管板の下部に接合された椀状の水室鏡の内部が仕切板により入口側水室と出口側水室とに区画されるとともに、前記伝熱管の両端が前記管板に挿通固定されて各前記水室に連通することで一次冷却材が供給排出される一次側をなす蒸気発生器について、当該蒸気発生器の一次側の耐圧試験を行う耐圧試験装置であって、
各前記水室が前記水室鏡の外部に通じるそれぞれの開口部を閉塞する各閉塞蓋と、
前記蒸気発生器を横倒しにした形態で最も鉛直上方に位置する一方の前記閉塞蓋に設けられており当該閉塞蓋の最上位置にて前記水室鏡の内外に通じる第一空気抜管と、
最も鉛直上方に位置する前記閉塞蓋に設けられており前記蒸気発生器を横倒しにした形態で前記水室鏡内の前記管板への接合部分における鉛直上方の位置から当該閉塞蓋を介して前記水室鏡の内外に通じる第二空気抜管と、
前記蒸気発生器を横倒しにした形態で他方の前記閉塞蓋に設けられており当該閉塞蓋を介して前記水室鏡の内部に試験用水を供給する水供給部と、
前記一次側の内圧を測定する圧力計と、
を備え、前記第二空気抜管は、前記水供給部の給水ポンプに接続可能に設けられていることを特徴とする耐圧試験装置。
【請求項２】
前記第一空気抜管および前記第二空気抜管を開閉する各開閉弁を備え、前記第一空気抜管に前記圧力計を配置することを特徴とする請求項１に記載の耐圧試験装置。
【請求項３】
他方の前記閉塞蓋に当該閉塞蓋の位置にて前記水室鏡の内外に通じる配管を備え、当該配管にも開閉弁および圧力計を配置することを特徴とする請求項２に記載の耐圧試験装置。
【請求項４】
各前記閉塞蓋が、前記入口側水室に設けられて一次側に一次冷却材が供給される入口側管台と、前記出口側水室に設けられて一次側から一次冷却材が排出される出口側管台とをそれぞれ閉塞することを特徴とする請求項１〜３のいずれか一つに記載の耐圧試験装置。
【請求項５】
前記第二空気抜管は、前記蒸気発生器を横倒しにした形態で前記第一空気抜管よりも下方で前記水室鏡の内部に通じることを特徴とする請求項１〜４のいずれか一つに記載の耐圧試験装置。
【請求項６】
二次冷却水が供給排出される二次側の胴部内にＵ字状の伝熱管が配置されており、前記胴部の下部を閉塞する管板の下部に接合された椀状の水室鏡の内部が仕切板により入口側水室と出口側水室とに区画されるとともに、前記伝熱管の両端が前記管板に挿通固定されて各前記水室に連通することで一次冷却材が供給排出される一次側をなす蒸気発生器について、当該蒸気発生器の一次側の耐圧試験を行う耐圧試験方法であって、
各前記水室が前記水室鏡の外部に通じるそれぞれの開口部を閉塞する各閉塞蓋と、
前記蒸気発生器を横倒しにした形態で最も鉛直上方に位置する一方の前記閉塞蓋に設けられており当該閉塞蓋の最上位置にて前記水室鏡の内外に通じる第一空気抜管と、
最も鉛直上方に位置する前記閉塞蓋に設けられており前記蒸気発生器を横倒しにした形態で前記水室鏡内の前記管板への接合部分における鉛直上方の位置から当該閉塞蓋を介して前記水室鏡の内外に通じる第二空気抜管と、
前記蒸気発生器を横倒しにした形態で他方の前記閉塞蓋に設けられており当該閉塞蓋を介して前記水室鏡の内部に試験用水を供給する水供給部と、
前記一次側の内圧を測定する圧力計と、
を備える耐圧試験装置を用い、
前記水供給部により前記水室鏡の内部に試験用水を供給し、前記第一空気抜管および前記第二空気抜管から空気が抜けきった後、前記第二空気抜管を前記水供給部に接続し、前記第二空気抜管を介して前記水室鏡の内部に試験用水を供給することを特徴とする耐圧試験方法。
【請求項７】
前記伝熱管のＵ字状部分を上向きにする態様で、横倒しにした形態の前記蒸気発生器を傾斜させて前記試験用水を供給する工程と、
次に、前記伝熱管の下側部分および下方の前記水室に試験用水が満たされた後、上方に位置する水室を前記伝熱管のＵ字状部分よりも高い位置にする態様で、横倒しにした形態の前記蒸気発生器を傾斜させて上方に位置する前記水室から空気抜きを行う工程と、
を含むことを特徴とする請求項６に記載の耐圧試験方法。
【請求項８】
前記第二空気抜管が、前記蒸気発生器を横倒しにした形態で前記第一空気抜管よりも下方で前記水室鏡の内部に通じて設けられることを特徴とする請求項６または７に記載の耐圧試験方法。
【発明の詳細な説明】
【技術分野】
【０００１】
本発明は、蒸気発生器の製造時において耐圧試験を行うための耐圧試験装置並びに蒸気発生器および耐圧試験方法に関する。
【背景技術】
【０００２】
特許文献１は、熱交換器の製造時における最終組立工程に実施する水による耐圧試験作業に用いる耐圧試験の自動測定装置について記載されている。
【先行技術文献】
【特許文献】
【０００３】
【特許文献１】特許第３５１８８２３号公報
【発明の概要】
【発明が解決しようとする課題】
【０００４】
ここで、加圧水型原子炉（ＰＷＲ：Pressurized  Water  Reactor）では、軽水を原子炉冷却材及び中性子減速材として使用し、炉心全体にわたって沸騰しない高温高圧水とし、この高温高圧水を蒸気発生器に送って熱交換により蒸気を発生させ、この蒸気をタービン発電機へ送って発電するものである。そして、この加圧水型原子炉は、高温高圧の一次冷却水の熱を蒸気発生器により二次冷却水に伝え、二次冷却水で水蒸気を発生させるものである。この蒸気発生器は、多数の細い伝熱管の内側を一次冷却水が流れ、外側を流れる二次冷却水に熱を伝えて水蒸気を生成し、この水蒸気によりタービンを回して発電している。
【０００５】
この蒸気発生器において、中空密閉形状をなす胴部内に、その内壁面と所定間隔をもって管群外筒が配設され、この管群外筒内に逆Ｕ字形状をなす複数の伝熱管が配設され、各伝熱管の端部が管板に支持され、管板の下部に接合された椀状の水室鏡により一次冷却水の入口側水室および出口側水室が形成されている。また、水室鏡は、入口側水室において外部に開口する入口側管台が設けられ、出口側水室において外部に開口する出口側管台が設けられている。入口側管台は、加圧水型原子炉から高温高圧の一次冷却水を供給する冷却水配管が接続され、出口側管台は、熱交換を終了した一次冷却水を加圧水型原子炉に戻す冷却水配管が接続される。さらに、水室鏡は、入口側水室および出口側水室においてメンテナンス用のマンホールがそれぞれ設けられている。また、胴部内に、管群外筒の上方に位置して二次冷却水の入口部が設けられると共に、気水分離機と湿分分離機が上下に並んで配設され、その上方に蒸気出口が設けられている。
【０００６】
従って、冷却水配管より入口側水室を通して複数の伝熱管に一次冷却水が供給される一方、入口部からこの胴部内に二次冷却水が供給される。すると、複数の伝熱管内を流れる一次冷却水（熱水）と胴部内を循環する二次冷却水（冷水）との間で熱交換を行われることで、二次冷却水が熱を吸収して水蒸気が生成される。そして、生成された蒸気が気水分離機により水分が除去され、湿分分離機により湿分が除去された蒸気が蒸気出口から排出される一方、熱交換を終了した一次冷却水が出口側水室から排出される。
【０００７】
このような蒸気発生器の一次側において、製造時に、特許文献１に記載されているような耐圧試験を行う場合、当該蒸気発生器を横倒しにして行う。このとき、一次側に水を供給して満水状態にするため、一次側の空気抜きを行う必要がある。残留空気の量が多いと加圧に時間が掛かる不都合や、加圧試験時の温度変化で圧力変化を生じやすい不具合がある。一般には、上述した入口側管台または出口側管台に蓋をして上方に向け、この管台の蓋に空気抜管を配置する。しかし、水室鏡は椀状に形成されており、横倒しにした状態では、管台よりも椀状の開口部である管板への接合部分付近の位置が高くなり、そこに空気が溜まりやすくなる。また、水室鏡は仕切板で仕切られているために下方に位置する水室内に空気が溜まり易くなる。このため、一次側を満水状態にするのに容易かつ確実に空気抜きを行うことが望まれている。
【０００８】
本発明は、上述した課題を解決するものであり、蒸気発生器の製造時において一次側の耐圧試験を行う場合に、給水に際して容易かつ確実に一次側の空気抜きを行うことのできる耐圧試験装置並びに蒸気発生器および耐圧試験方法を提供することを目的とする。
【課題を解決するための手段】
【０００９】
上述の目的を達成するために、本発明の耐圧試験装置は、二次冷却水が供給排出される二次側の胴部内にＵ字状の伝熱管が配置されており、前記胴部の下部を閉塞する管板の下部に接合された椀状の水室鏡の内部が仕切板により入口側水室と出口側水室とに区画されるとともに、前記伝熱管の両端が前記管板に挿通固定されて各前記水室に連通することで一次冷却材が供給排出される一次側をなす蒸気発生器について、当該蒸気発生器の一次側の耐圧試験を行う耐圧試験装置であって、各前記水室が前記水室鏡の外部に通じるそれぞれの開口部を閉塞する各閉塞蓋と、前記蒸気発生器を横倒しにした形態で最も鉛直上方に位置する一方の前記閉塞蓋に設けられており当該閉塞蓋の最上位置にて前記水室鏡の内外に通じる第一空気抜管と、最も鉛直上方に位置する前記閉塞蓋に設けられており前記蒸気発生器を横倒しにした形態で前記水室鏡内の前記管板への接合部分における鉛直上方の位置から当該閉塞蓋を介して前記水室鏡の内外に通じる第二空気抜管と、前記蒸気発生器を横倒しにした形態で他方の前記閉塞蓋に設けられており当該閉塞蓋を介して前記水室鏡の内部に試験用水を供給する水供給部と、前記一次側の内圧を測定する圧力計と、を備えることを特徴とする。
【００１０】
この耐圧試験装置によれば、水供給部により入口側水室または出口側水室に試験用水を圧送する。一方の水室に供給された試験用水は、伝熱管を経て他方の水室に至る。この際、蒸気発生器を横倒しにした形態で最も鉛直上方に位置する一方の閉塞蓋の最上位置に一端が接続されて水室鏡の内外に連通している第一空気抜管、および蒸気発生器を横倒しにした形態で水室鏡内の管板への接合部分における鉛直上方の位置から一方の閉塞蓋を介して水室鏡の内外に通じる第二空気抜管により、一次側内の全ての空気を抜くことができる。この結果、蒸気発生器の製造時において一次側の耐圧試験を行う場合に、給水に際して容易かつ確実に一次側の空気抜きを行うことができる。
【００１１】
また、本発明の耐圧試験装置は、前記第一空気抜管および前記第二空気抜管を開閉する各開閉弁を備え、前記第一空気抜管に前記圧力計を配置することを特徴とする。
【００１２】
この耐圧試験装置によれば、一次側の内圧を計測する圧力計を、第一空気抜管を利用して配置することで、一次側の圧力計測を簡素な構成にて行うことができる。
【００１３】
また、本発明の耐圧試験装置は、他方の前記閉塞蓋に当該閉塞蓋の位置にて前記水室鏡の内外に通じる配管を備え、当該配管にも開閉弁および圧力計を配置することを特徴とする。
【００１４】
この耐圧試験装置によれば、上述した圧力計が計測困難である場合、配管の圧力計により一次側の内圧を計測することができる。また、上述した圧力計は一方の閉塞蓋である一方の水室側に設けられ、配管の圧力計は他方の水室側に設けられているため、相互の圧力差を計測することもできる。この結果、一次側の内圧を精度良く計測することができる。
【００１５】
また、本発明の耐圧試験装置は、各前記閉塞蓋が、前記入口側水室に設けられて一次側に一次冷却材が供給される入口側管台と、前記出口側水室に設けられて一次側から一次冷却材が排出される出口側管台とをそれぞれ閉塞することを特徴とする。
【００１６】
この耐圧試験装置によれば、水室鏡は、各水室に対応してマンホールがそれぞれ形成され、蒸気発生器の使用時では、これらマンホールの開口部はマンホール蓋により閉塞されている。このため、入口側管台および出口側管台に耐圧試験装置を設けることで、マンホール蓋の耐圧試験も行うことができる。
【００１７】
上述の目的を達成するために、本発明の蒸気発生器は、二次冷却水が供給排出される二次側の胴部内にＵ字状の伝熱管が配置されており、前記胴部の下部を閉塞する管板の下部に接合された椀状の水室鏡の内部が仕切板により入口側水室と出口側水室とに区画されるとともに、前記伝熱管の両端が前記管板に挿通固定されて各前記水室に連通することで一次冷却材が供給排出される一次側をなす蒸気発生器において、前記一次側を試験用水で満水状態とする耐圧試験で、前記入口側水室と前記出口側水室との間での空気抜きを行う空抜通路を有することを特徴とする。
【００１８】
この蒸気発生器によれば、空抜通路が、耐圧試験時に下側になる水室の最高位置になるように配置することで、下側になる水室の空気を上側になる水室へ逃がして除去することができる。
【００１９】
上述の目的を達成するために、本発明の耐圧試験方法は、二次冷却水が供給排出される二次側の胴部内にＵ字状の伝熱管が配置されており、前記胴部の下部を閉塞する管板の下部に接合された椀状の水室鏡の内部が仕切板により入口側水室と出口側水室とに区画されるとともに、前記伝熱管の両端が前記管板に挿通固定されて各前記水室に連通することで一次冷却材が供給排出される一次側をなす蒸気発生器について、前記蒸気発生器を横倒しにした形態で下方に位置する前記水室側から試験用水を供給するとともに、上方に位置する前記水室側から空気抜きを行うことで、前記蒸気発生器の一次側に試験用水を満水状態として耐圧試験を行う耐圧試験方法であって、前記伝熱管のＵ字状部分を上向きにする態様で、横倒しにした形態の前記蒸気発生器を傾斜させて前記試験用水を供給する工程と、次に、前記伝熱管の下側部分および下方の前記水室に試験用水が満たされた後、上方に位置する水室を前記伝熱管のＵ字状部分よりも高い位置にする態様で、横倒しにした形態の前記蒸気発生器を傾斜させて上方に位置する前記水室から空気抜きを行う工程と、を含むことを特徴とする。
【００２０】
この耐圧試験方法によれば、試験用水の供給開始時には伝熱管のＵ字状部分を上向きにするように蒸気発生器を傾けることで、Ｕ字状部分の下側部分および下方の水室に残留する空気を除去する。そして、これらが満水状態となった後に、上方に位置する水室を伝熱管のＵ字状部分よりも高い位置にする。この結果、伝熱管内あるいは下方の水室内に残留する空気を除去することができる。
【００２１】
上述の目的を達成するために、本発明の耐圧試験方法は、二次冷却水が供給排出される二次側の胴部内にＵ字状の伝熱管が配置されており、前記胴部の下部を閉塞する管板の下部に接合された椀状の水室鏡の内部が仕切板により入口側水室と出口側水室とに区画されるとともに、前記伝熱管の両端が前記管板に挿通固定されて各前記水室に連通することで一次冷却材が供給排出される一次側をなす蒸気発生器について、当該蒸気発生器の一次側の耐圧試験を行う耐圧試験方法であって、各前記水室が前記水室鏡の外部に通じるそれぞれの開口部を閉塞する各閉塞蓋と、前記蒸気発生器を横倒しにした形態で最も鉛直上方に位置する一方の前記閉塞蓋に設けられており当該閉塞蓋の最上位置にて前記水室鏡の内外に通じる第一空気抜管と、最も鉛直上方に位置する前記閉塞蓋に設けられており前記蒸気発生器を横倒しにした形態で前記水室鏡内の前記管板への接合部分における鉛直上方の位置から当該閉塞蓋を介して前記水室鏡の内外に通じる第二空気抜管と、前記蒸気発生器を横倒しにした形態で他方の前記閉塞蓋に設けられており当該閉塞蓋を介して前記水室鏡の内部に試験用水を供給する水供給部と、前記一次側の内圧を測定する圧力計と、を備える耐圧試験装置を用い、前記水供給部により前記水室鏡の内部に試験用水を供給し、前記第一空気抜管および前記第二空気抜管から空気が抜けきった後、前記第二空気抜管を前記水供給部に接続し、前記第二空気抜管を介して前記水室鏡の内部に試験用水を供給することを特徴とする。
【００２２】
この耐圧試験方法によれば、第一空気抜管および第二空気抜管から空気が抜けきった後に、第二空気抜管を介して試験用水を強制的に循環させ、その循環時の試験用水の流動により、残留空気を、第一空気抜管を介して排出させる。このため、一次側内の全ての空気を抜くことが可能になる。この結果、蒸気発生器の製造時において一次側の耐圧試験を行う場合に、給水に際してさらに容易かつ確実に一次側の空気抜きを行うことができる。
【発明の効果】
【００２３】
本発明によれば、蒸気発生器の製造時において一次側の耐圧試験を行う場合に、給水に際して容易かつ確実に一次側の空気抜きを行うことができる。
【図面の簡単な説明】
【００２４】
【図１】図１は、本発明の実施の形態に係る耐圧試験装置の構成図である。
【図２】図２は、本発明の実施の形態に係る耐圧試験装置の構成図である。
【図３】図３は、本発明の実施の形態に係る耐圧試験方法の工程図である。
【図４】図４は、本発明の実施の形態に係る耐圧試験方法の工程図である。
【図５】図５は、蒸気発生器の構成を示す説明図である。
【発明を実施するための形態】
【００２５】
以下に、本発明に係る実施の形態を図面に基づいて詳細に説明する。なお、この実施の形態によりこの発明が限定されるものではない。また、下記実施の形態における構成要素には、当業者が置換可能かつ容易なもの、あるいは実質的に同一のものが含まれる。
【００２６】
図５は、蒸気発生器の構成を示す説明図である。図５に示すように、蒸気発生器１０１は、胴部１０２を有している。胴部１０２は、上下方向に延在され、かつ密閉された中空円筒形状をなし、上半部に対して下半部が若干小径とされている。胴部１０２は、その下半部内に、当該胴部１０２の内壁面と所定間隔をもって配置された円筒形状をなす管群外筒１０３が設けられている。この管群外筒１０３は、その下端部が、胴部１０２の下半部内の下方に配置された管板１０４近傍まで延設されている。管群外筒１０３内には、伝熱管群１０５Ａが設けられている。伝熱管群１０５Ａは、逆Ｕ字形状をなす複数の伝熱管１０５からなる。伝熱管群１０５Ａは、その上端部に、伝熱管１０５の上述した逆Ｕ字形状の円弧部が配置されている。伝熱管１０５は、中央から外側に向けて円弧部の径が大きなものを配列した伝熱管層を構成し、この伝熱管層を、重ねつつ径を変えることで、伝熱管群１０５Ａの上端部を半球形状に形成している。この伝熱管群１０５Ａの半球形状部分は、各伝熱管層の円弧部の間に、一次冷却水が各伝熱管１０５内を通過する際に発生し得る流体励起振動を抑制するための振止部材１０５ａが設けられている。そして、各伝熱管１０５は、Ｕ字形状の円弧部を上方に向け、下端部が管板１０４の管穴１０４ａに挿通支持されているとともに、中間部が複数の管支持板１０６を介して管群外筒１０３に支持されている。管支持板１０６は、多数の管穴１０６ａが形成されており、この管穴１０６ａに各伝熱管１０５が挿通されることで各伝熱管１０５を支持する。
【００２７】
胴部１０２は、その下端部に水室鏡１０７が接合されている。水室鏡１０７は、椀状に形成された開口縁が管板１０４に接合された状態で、その内部が仕切板１０８により入口側水室１０７Ａと出口側水室１０７Ｂとに区画されている。入口側水室１０７Ａは、各伝熱管１０５の一端部が連通され、出口側水室１０７Ｂは、各伝熱管１０５の他端部が連通されている。また、入口側水室１０７Ａは、胴部１０２の外部に通じる入口側管台１０７Ａａが形成され、出口側水室１０７Ｂは、胴部１０２の外部に通じる出口側管台１０７Ｂａが形成されている。そして、入口側管台１０７Ａａは、加圧水型原子炉から一次冷却水が送られる冷却水配管（図示せず）が連結され、出口側管台１０７Ｂａは、熱交換された後の一次冷却水を加圧水型原子炉に送る冷却水配管（図示せず）が連結される。また、入口側水室１０７Ａおよび出口側水室１０７Ｂは、保守や点検時に作業者が水室１０７Ａ，１０７Ｂ内に進入することのできる作業用のマンホール１０７Ａｂ，１０７Ｂｂがそれぞれ形成されている（図２参照）。
【００２８】
また、胴部１０２は、その上半部内に、給水を蒸気と熱水とに分離する気水分離器１０９、および分離された蒸気の湿分を除去して乾き蒸気に近い状態とする湿分分離器１１０が設けられている。気水分離器１０９と伝熱管群１０５Ａとの間には、外部から胴部１０２内に二次冷却水の給水を行う給水管１１１が挿入されている。さらに、胴部１０２は、その上端部に、蒸気排出口１１２が形成されている。また、胴部１０２は、その下半部内に、給水管１１１からこの胴部１０２内に給水された二次冷却水を、胴部１０２と管群外筒１０３との間を流下させて管板１０４にて折り返させ、伝熱管群１０５Ａに沿って上昇させる給水路１１３が形成されている。なお、蒸気排出口１１２は、タービンに蒸気を送る冷却水配管（図示せず）が連結され、給水管１１１は、タービンで使用された蒸気が復水器（図示せず）で冷却された二次冷却水を供給するための冷却水配管（図示せず）が連結される。
【００２９】
図１および図２は、本実施の形態に係る耐圧試験装置の構成図である。図１は、蒸気発生器１０１を胴部１０２の側方から視た図であり、図２は蒸気発生器１０１を水室鏡１０７側から視た図である。
【００３０】
上述した蒸気発生器１０１は、製造時に横倒しの形態で組み立てられる。そして、最終組立工程において、一次側および二次側に試験用水を満水状態として耐圧試験が行われる。本実施の形態では、一次側の耐圧試験に用いられる耐圧試験装置について説明する。
【００３１】
耐圧試験装置は、入口側水室１０７Ａおよび出口側水室１０７Ｂの各閉塞蓋１と、第一空気抜管２と、第二空気抜管３と、水供給部４と、圧力計５とを含み構成されている。
【００３２】
閉塞蓋１は、入口側水室１０７Ａおよび出口側水室１０７Ｂが水室鏡１０７の外部に通じるそれぞれの開口部を閉塞するものである。入口側水室１０７Ａの閉塞蓋１は、入口側管台１０７Ａａの開口部を閉塞する入口側管台蓋１Ａがあり、出口側水室１０７Ｂの閉塞蓋１は、出口側管台１０７Ｂａの開口部を閉塞する出口側管台蓋１Ｂがある。各管台蓋１Ａ，１Ｂは、管台１０７Ａａ，１０７Ｂａの中心線に沿って水室鏡１０７の外側に突出する筒部１Ａａ，１Ｂａと、当該筒部１Ａａ，１Ｂａの突出端を閉塞する半球状の覆部１Ａｂ，１Ｂｂとで構成されている。
【００３３】
第一空気抜管２は、蒸気発生器１０１を横倒しにした形態で最も鉛直上方に位置する閉塞蓋１の一方に設けられており、当該閉塞蓋１の最上位置にて水室鏡１０７の内外に通じるものである。本実施の形態では、蒸気発生器１０１を横倒しにした形態で、入口側管台蓋１Ａを最も鉛直上方に位置するようにしている。そして、第一空気抜管２は、入口側管台蓋１Ａの覆部１Ａｂの最上位置に一端が接続されて入口側水室１０７Ａに連通している。また、第一空気抜管２は、水室鏡１０７の外部において当該管を開閉する開閉弁である第一開閉弁２Ａが設けられている。
【００３４】
第二空気抜管３は、最も鉛直上方に位置する前記閉塞蓋１に設けられており、蒸気発生器１０１を横倒しにした形態で水室鏡１０７内の管板１０４への接合部分における鉛直上方の位置から前記閉塞蓋１を介して水室鏡１０７の内外に通じるものである。本実施の形態では、蒸気発生器１０１を横倒しにした形態で、入口側管台蓋１Ａを最も鉛直上方に位置するようにしているため、第二空気抜管３は、入口側管台蓋１Ａに設けられている。そして、第二空気抜管３は、入口側管台蓋１Ａの覆部１Ａｂに貫通され、水室鏡１０７内の管板１０４への接合部分における鉛直上方の位置に一端が配置されて入口側水室１０７Ａに連通している。また、第二空気抜管３は、水室鏡１０７の外部において当該管を開閉する開閉弁である第二開閉弁３Ａが設けられている。
【００３５】
水供給部４は、蒸気発生器１０１を横倒しにした形態で閉塞蓋１の他方に設けられており、当該閉塞蓋１を介して水室鏡１０７の内部に試験用水を供給するものである。本実施の形態では、蒸気発生器１０１を横倒しにした形態で、入口側管台蓋１Ａを最も鉛直上方に位置するようにしているため、閉塞蓋１の他方は、出口側管台蓋１Ｂとなり、水供給部４は、出口側管台蓋１Ｂを介して水室鏡１０７の内部に試験用水を供給する。水供給部４は、給水管４ａと、給水ポンプ４ｂと、給水開閉弁４ｃとを含み構成されている。給水管４ａは、出口側管台蓋１Ｂに一端が接続されて出口側水室１０７Ｂに連通している。給水ポンプ４ｂは、給水管４ａの他端側に接続され、当該給水管４ａに試験用水を圧送する。給水開閉弁４ｃは、給水管４ａの途中に設けられて当該給水管４ａを開閉する。
【００３６】
圧力計５は、第一空気抜管２において、入口側管台蓋１Ａと第一開閉弁２Ａとの間に設けられている。
【００３７】
このような耐圧試験装置は、水供給部４の給水ポンプ４ｂにより給水管４ａを介して出口側水室１０７Ｂに試験用水を圧送する。出口側水室１０７Ｂに供給された試験用水は、伝熱管１０５を経て入口側水室１０７Ａに至る。この際、第一空気抜管２の第一開閉弁２Ａを開放状態とすることで、第一空気抜管２を介して一次側の空気が外部に抜け出る。また、同様に、第二空気抜管３の第二開閉弁３Ａを開放状態とすることで、第二空気抜管３を介して一次側の空気が外部に抜け出る。第一空気抜管２は、入口側管台蓋１Ａの覆部１Ａｂの最上位置に一端が接続されて入口側水室１０７Ａに連通しているため、一次側内の大半の空気を抜くことが可能である。しかし、水室鏡１０７は椀状に形成されており、横倒しにした状態では、入口側管台１０７Ａａよりも椀状の開口部である管板１０４への接合部分付近の位置が高くなっているため、そこに空気が溜まりやすい。そこで、本実施の形態では、第二空気抜管３が、入口側管台蓋１Ａの覆部１Ａｂに貫通され、水室鏡１０７内の管板１０４への接合部分における鉛直上方の位置に一端が配置されて入口側水室１０７Ａに連通している。このため、この部分の空気も一次側の外部に抜け出るので、一次側内の全ての空気を抜くことが可能になる。第一空気抜管２および第二空気抜管３から試験用水が出たことで、一次側内の全ての空気が抜けたことが分かる。その後、第一空気抜管２の第一開閉弁２Ａおよび第二空気抜管３の第二開閉弁３Ａを閉塞状態とし、給水ポンプ４ｂにより一次側の内圧を上昇させ、一次側の内圧は圧力計５により計測することで、一次側の耐圧試験が行われる。
【００３８】
このように、本実施の形態の耐圧試験装置は、二次冷却水が供給排出される二次側の胴部１０２内にＵ字状の伝熱管１０５が配置されており、胴部１０２の下部を閉塞する管板１０４の下部に接合された椀状の水室鏡１０７の内部が仕切板１０８により入口側水室１０７Ａと出口側水室１０７Ｂとに区画されるとともに、伝熱管１０５の両端が管板１０４に挿通固定されて各水室１０７Ａ，１０７Ｂに連通することで一次冷却材が供給排出される一次側をなす蒸気発生器１０１について、当該蒸気発生器１０１の一次側の耐圧試験を行うものである。そして、この耐圧試験装置は、各水室１０７Ａ，１０７Ｂが水室鏡１０７の外部に通じるそれぞれの開口部を閉塞する各閉塞蓋１（入口側管台蓋１Ａおよび出口側管台蓋１Ｂ）と、蒸気発生器１０１を横倒しにした形態で最も鉛直上方に位置する一方の閉塞蓋１（入口側管台蓋１Ａ）に設けられており当該閉塞蓋１（入口側管台蓋１Ａ）の最上位置にて水室鏡１０７の内外に通じる第一空気抜管２と、最も鉛直上方に位置する前記閉塞蓋１（入口側管台蓋１Ａ）に設けられており蒸気発生器１０１を横倒しにした形態で水室鏡１０７内の管板１０４への接合部分における鉛直上方の位置から当該閉塞蓋１（入口側管台蓋１Ａ）を介して水室鏡１０７の内外に通じる第二空気抜管３と、蒸気発生器１０１を横倒しにした形態で他方の閉塞蓋１（出口側管台蓋１Ｂ）に設けられており当該閉塞蓋１（出口側管台蓋１Ｂ）を介して水室鏡１０７の内部に試験用水を供給する水供給部４と、一次側の内圧を測定する圧力計５と、を備える。
【００３９】
この耐圧試験装置によれば、水供給部４の給水ポンプ４ｂにより給水管４ａを介して出口側水室１０７Ｂに試験用水を圧送する。出口側水室１０７Ｂに供給された試験用水は、伝熱管１０５を経て入口側水室１０７Ａに至る。この際、蒸気発生器１０１を横倒しにした形態で最も鉛直上方に位置する入口側管台蓋１Ａの最上位置に一端が接続されて入口側水室１０７Ａに連通している第一空気抜管２、および蒸気発生器１０１を横倒しにした形態で水室鏡１０７内の管板１０４への接合部分における鉛直上方の位置から入口側管台蓋１Ａを介して水室鏡１０７の内外に通じる第二空気抜管３により、一次側内の全ての空気を抜くことが可能になる。この結果、蒸気発生器１０１の製造時において一次側の耐圧試験を行う場合に、給水に際して容易かつ確実に一次側の空気抜きを行うことが可能になる。
【００４０】
また、本実施の形態の耐圧試験装置は、第一空気抜管２および第二空気抜管３を開閉する第一開閉弁２Ａおよび第二開閉弁３Ａを備え、第一空気抜管２に圧力計５を配置している。
【００４１】
この耐圧試験装置によれば、一次側の内圧を計測する圧力計５を、第一空気抜管２を利用して配置することで、一次側の圧力計測を簡素な構成にて行うことが可能になる。
【００４２】
また、本実施の形態の耐圧試験装置は、他方の閉塞蓋１（出口側管台蓋１Ｂ）に当該閉塞蓋１（出口側管台蓋１Ｂ）の位置にて水室鏡１０７の内外に通じる配管６を備え、当該配管６にも開閉弁６Ａおよび圧力計７を配置することが好ましい。具体的に、配管６は、出口側管台蓋１Ｂの覆部１Ｂｂに一端が接続されて出口側水室１０７Ｂに連通している。また、配管６は、水室鏡１０７の外部において当該管を開閉する開閉弁である配管開閉弁６Ａが設けられている。また、配管６は、出口側管台蓋１Ｂと配管開閉弁６Ａとの間に圧力計７が設けられている。
【００４３】
この耐圧試験装置によれば、圧力計５が計測困難である場合、圧力計７により一次側の内圧を計測することが可能である。また、圧力計５は入口側水室１０７Ａ側に設けられ、圧力計７は出口側水室１０７Ｂ側に設けられているため、相互の圧力差を計測することも可能である。この結果、一次側の内圧を精度良く計測することが可能になる。
【００４４】
また、本実施の形態の耐圧試験装置は、各閉塞蓋１（入口側管台蓋１Ａおよび出口側管台蓋１Ｂ）が、入口側水室１０７Ａに設けられて一次側に一次冷却材が供給される入口側管台１０７Ａａと、出口側水室１０７Ｂに設けられて一次側から一次冷却材が排出される出口側管台１０７Ｂａとをそれぞれ閉塞することが好ましい。
【００４５】
この耐圧試験装置によれば、水室鏡１０７は、上述したようにマンホール１０７Ａｂ，１０７Ｂｂが形成され、蒸気発生器１０１の使用時では、これらマンホール１０７Ａｂ，１０７Ｂｂの開口部はマンホール蓋１Ｃ，１Ｄにより閉塞されている。このため、入口側管台蓋１Ａおよび出口側管台蓋１Ｂに耐圧試験装置を設けることで、マンホール蓋１Ｃ，１Ｄの耐圧試験も行うことが可能になる。
【００４６】
なお、上述した実施の形態において、入口側水室１０７Ａの閉塞蓋１は、入口側水室１０７Ａの入口側マンホール１０７Ａｂの開口部を閉塞する入口側マンホール蓋１Ｃもあり、出口側水室１０７Ｂの閉塞蓋１は、出口側水室１０７Ｂの出口側マンホール１０７Ｂｂの開口部を閉塞する出口側マンホール蓋１Ｄもある。各マンホール蓋１Ｃ，１Ｄは、円盤状に形成されており、蒸気発生器１０１を使用する場合にマンホール１０７Ａｂ，マンホール１０７Ｂｂを閉塞するものである。すなわち、蒸気発生器１０１を横倒しにした形態で、マンホール蓋１Ｃ，１Ｄの一方を最も鉛直上方に位置するようにし、マンホール蓋１Ｃ，１Ｄに上記構成を適用してもよい。
【００４７】
ところで、上述した耐圧試験で、一次側を試験用水で満水状態とする際、図１および図２に示すように、下方に位置する水室鏡１０７（出口側水室１０７Ｂ）内の空気が仕切板１０８によって遮られて除去できない場合がある。そこで、本実施の形態の蒸気発生器１０１は、入口側水室１０７Ａと出口側水室１０７Ｂとの間での空気抜きを行う空抜通路１０７Ｃを有する。具体的に、空抜通路１０７Ｃは、図１および図２に示すように、下方に位置する出口側水室１０７Ｂにおいて、管板１０４と水室鏡１０７とに接続される仕切板１０８の最高位置の端部（隅部）が一部切り欠かれて形成されている。
【００４８】
この蒸気発生器１０１によれば、空抜通路１０７Ｃが、耐圧試験時に下側になる水室（出口側水室１０７Ｂ）の最高位置（鉛直最上方位置）になるように配置することで、下側になる水室（出口側水室１０７Ｂ）の空気を上側になる水室（入口側水室１０７Ａ）へ逃がして除去することが可能になる。空抜通路１０７Ｃは、蒸気発生器１０１の運転時に一次冷却水が入口側水室１０７Ａから出口側水室１０７Ｂにバイパスしても支障の無い範囲で小さなものにするか、耐圧試験後に蓋（図示せず）を設けて入口側水室１０７Ａから出口側水室１０７Ｂへのバイパスを塞ぐ。
【００４９】
また、図３および図４は、本実施の形態に係る耐圧試験方法の工程図である。本実施の形態の耐圧試験方法は、伝熱管１０５のＵ字状部分を上向きにする態様、すなわち、図３に示すように水張り水位Ｗ１より下側に、下方の水室（出口側水室１０７Ｂ）および伝熱管１０５のＵ字状部分の一部が位置する態様で、横倒しにした形態の蒸気発生器１０１を傾斜させて試験用水を供給する工程と、次に、伝熱管１０５の下側部分および下方の水室（出口側水室１０７Ｂ）に試験用水が満たされた後、上方に位置する水室（入口側水室１０７Ａ）を伝熱管１０５のＵ字状部分の一部よりも高い位置にする態様、すなわち、図４に示すように水張り水位Ｗ２より下側に、全伝熱管１０５および上方に位置する水室（入口側水室１０７Ａ）が位置し、かつ伝熱管１０５のＵ字状部分を下向きにする態様で、横倒しにした形態の蒸気発生器１０１を傾斜させて上方に位置する水室（入口側水室１０７Ａ）から空気抜きを行う工程と、を含む。
【００５０】
横倒しの蒸気発生器１０１の伝熱管１０５が水平でない場合には、空気が伝熱管１０５内あるいは下方の水室（出口側水室１０７Ｂ）内に残留して除去できない場合がある。本実施の形態の耐圧試験方法によれば、試験用水の供給開始時には伝熱管１０５のＵ字状部分よりも上方に位置する水室（入口側水室１０７Ａ）が低くなるよう蒸気発生器１０１を傾けることで、Ｕ字状部分の一部を除く伝熱管１０５および下方の水室（出口側水室１０７Ｂ）に残留する空気を除去する。そして、これらが満水状態となった後に、上方に位置する水室（入口側水室１０７Ａ）を伝熱管１０５のＵ字状部分の一部よりも高い位置にする。この結果、伝熱管１０５内あるいは下方の水室（出口側水室１０７Ｂ）内に残留する空気を除去することが可能になる。
【００５１】
また、上述した耐圧試験で、図３および図４に示すように蒸気発生器１０１を傾ける方法の他に、水供給部４により水室鏡１０７の内部に試験用水を供給し、第一空気抜管２および第二空気抜管３から空気が抜けきった後（試験用水が第一空気抜管２および第二空気抜管３から出た後）、第二空気抜管３を水供給部４の給水ポンプ４ｂに接続し、第二空気抜管３を介して上方に位置する水室（入口側水室１０７Ａ）から水室鏡１０７の内部に試験用水を供給するようにしてもよい。この耐圧試験方法によれば、第一空気抜管２および第二空気抜管３から空気が抜けきった後に、第二空気抜管３を介して試験用水を強制的に循環させ、その循環時の試験用水の流動により、残留空気を、第一空気抜管２を介して上方に位置する水室（入口側水室１０７Ａ）から排出させる。このため、一次側内の全ての空気を抜くことが可能になる。この結果、蒸気発生器１０１の製造時において一次側の耐圧試験を行う場合に、給水に際してさらに容易かつ確実に一次側の空気抜きを行うことが可能になる。
【符号の説明】
【００５２】
１  閉塞蓋
１Ａ  入口側管台蓋
１Ｂ  出口側管台蓋
１Ｃ  入口側マンホール蓋
１Ｄ  出口側マンホール蓋
２  第一空気抜管
２Ａ  第一開閉弁
３  第二空気抜管
３Ａ  第二開閉弁
４  水供給部
４ａ  給水管
４ｂ  給水ポンプ
４ｃ  給水開閉弁
５  圧力計
６  配管
６Ａ  配管開閉弁
７  圧力計
１０１  蒸気発生器
１０２  胴部
１０４  管板
１０５  伝熱管
１０７  水室鏡
１０７Ａ  入口側水室
１０７Ａａ  入口側管台
１０７Ａｂ  入口側マンホール
１０７Ｂ  出口側水室
１０７Ｂａ  出口側管台
１０７Ｂｂ  出口側マンホール
１０７Ｃ  空気抜通路
１０８  仕切板
【図１】
0005787809.tif 000002
【図２】
0005787809.tif 000003
【図３】
0005787809.tif 000004
【図４】
0005787809.tif 000005
【図５】
0005787809.tif 000006